(57)【特許請求の範囲】
【請求項１】
調理器本体の前壁部の下部に、他の部分よりも奥側に位置するけこみ部分が形成され、前記前壁部の内方側でかつ前記けこみ部分よりも上方箇所に、外部のガス機器に対するガス供給用のホース接続部が設けられている加熱調理器であって、
前記ホース接続部が、そのガス供給口を下向きとする状態に設けられ、
前記前壁部における前記けこみ部分とその上端部から前方に延びる水平壁部分との間、又は、前記水平壁部分、又は、前記水平壁部分とその前端部から上方に延びる前壁部分との間に、前記ホース接続部に接続されたガス供給用のホースを挿通させるための挿通用開口が形成されている加熱調理器。
【請求項２】
前記前壁部における前記ホース接続部の直前方に位置する部分に対応して、ホース接続部露出用の開口が形成されている請求項１記載の加熱調理器。
【請求項３】
前記開口を開閉する開閉部材が、前記前壁部に沿うスライド移動により開閉自在に設けられている請求項２記載の加熱調理器。
【請求項４】
外部の電気機器に対する電力供給用のコード接続部が、前記ホース接続部に並べて設けられている請求項１〜３のいずれか１項に記載の加熱調理器。
【請求項５】
前記挿通用開口を通して前記前壁部の外部に延出されるガス供給用のホースを係止保持する保持具が、前記けこみ部分に設けられている請求項１〜４のいずれか１項に記載の加熱調理器。
【発明の詳細な説明】
【０００１】
【発明の属する技術分野】
本発明は、調理器本体の前壁部の下部に、他の部分よりも奥側に位置するけこみ部分が形成され、前記前壁部の内方側でかつ前記けこみ部分よりも上方箇所に、外部のガス機器に対するガス供給用のホース接続部が設けられている加熱調理器に関する。
【０００２】
【従来の技術】
上記加熱調理器において、従来では、図６に例示するように、ガスオーブンＣ１とコンロＣ２を備えた加熱調理器Ｃにおいて、調理器本体の前壁部（図では、下部カバーＣ３で示す）の内方側であって、前壁部の下部の奥側に形成したけこみ部分Ｃ４よりも上方箇所に、ホース接続部としてのガス栓Ｃ５がガス供給口を前方向きとする状態に設けられ、上記ガス栓Ｃ５に接続させたガス供給用のホースＣ６を、下部カバーＣ３の前面側に形成した開口Ｃ７を通して前方向きに取出して、ガスストーブＣ８等の外部ガス機器に接続させるようにしていた。
【０００３】
【発明が解決しようとする課題】
しかしながら、上記従来技術では、外部のガス機器に接続されるガス供給用のホースが調理器本体から前方向きに延びているために、ホースが調理器を使用する人の足に引っかかる等して、邪魔になり易いという不具合があった。
本発明は、上記実情に鑑みてなされたものであり、その目的は、上記従来技術の不具合を解消させるべく、調理器本体から外部のガス機器に向けて取出されるガス供給用のホースが、極力使用者の邪魔にならないようにすることにある。
【０００４】
【課題を解決するための手段】
請求項１によれば、冒頭に記載した加熱調理器において、前記ホース接続部が、そのガス供給口を下向きとする状態に設けられ、前記前壁部における前記けこみ部分とその上端部から前方に延びる水平壁部分との間、又は、前記水平壁部分、又は、前記水平壁部分とその前端部から上方に延びる前壁部分との間に、前記ホース接続部に接続されたガス供給用のホースを挿通させるための挿通用開口が形成されている。
従って、ガス供給口が下向き状態のホース接続部に接続されたガス供給用のホースが、調理器本体の前壁部において下部奥側に位置するけこみ部分とその上端部から前方に延びる水平壁部分との間、又は、その水平壁部分、又は、水平壁部分とその前端部から上方に延びる前壁部分との間に形成された挿通用開口に下向きに挿通されて外部に取出されるので、従来のように、ガス供給用のホースが調理器本体から前方向きに取出される場合には、ホースが使用者の邪魔になり易いのに比べて、極力、使用者の邪魔にならないようにすることができる。
【０００５】
請求項２によれば、請求項１において、前記前壁部における前記ホース接続部の直前方に位置する部分に対応して、ホース接続部露出用の開口が形成されている。
従って、前壁部におけるホース接続部の直前方に位置する部分に対応して形成されたホース接続部露出用の開口を通してホース接続部を見ながら、ホース接続部にホースを接続させたり、逆に接続を外したりする作業を容易に行うことができ、もって、請求項１の好適な手段が得られる。
【０００６】
請求項３によれば、請求項２において、前記開口を開閉する開閉部材が、前記前壁部に沿うスライド移動により開閉自在に設けられている。
従って、ホースの接続作業等を行うときには、開閉部材を前壁部に沿ってスライド移動させてホース接続部露出用の開口を開ける一方、それ以外のときには、開閉部材をスライド移動させて上記開口を閉めることができるので、開閉部材を設けない場合には上記開口を通して外部の塵埃等が入り易く又美観的にも好ましくないという不都合があるのに比べて、かかる不都合を解消させながら、例えば開閉部材を揺動式に構成した場合には、開閉部材が開状態のときに前壁部よりも手前側に揺動移動して作業の邪魔になるおそれがあるのに比べて、前壁部に沿うスライド移動によりかかる不具合を回避させることができ、もって、請求項２の好適な手段が得られる。
【０００７】
請求項４によれば、請求項１〜３のいずれか１項において、外部の電気機器に対する電力供給用のコード接続部が、ホース接続部に並べて設けられている。
従って、外部の電気機器に対する電力供給用のコードを、ホース接続部に並べて設けたコンセント等のコード接続部に接続させることができるので、例えば加熱調理器の近くで電気ストーブ等の電気機器を使用したり、あるいは、外部のガス機器に対して電力を供給するような場合（この場合には、ガス機器が電気機器とみなされる）に、コードを室の壁等に設けたコンセントに接続させるものでは、コードの接続が煩雑で、又、コードの引き回しが長くなるおそれがあるのに比べて、外部の電気機器に対するコードの接続を容易に行い、又、コードの引き回しを極力短くすることができ、もって、請求項１〜３のいずれか１項の好適な手段が得られる。
【０００８】
請求項５によれば、請求項１〜４のいずれか１項において、前記挿通用開口を通して前記前壁部の外部に延出されるガス供給用のホースを係止保持する保持具が、前記けこみ部分に設けられている。
従って、挿通用開口を通して前壁部の外部に下向き状態で取出されるガス供給用のホースが、前壁部の下部に位置するけこみ部分に設けた保持具に係止保持されるので、例えばホースがホース接続部に接続されただけで途中箇所がフリー状態の場合には、ホースが外部から引っ張られたときに、その引っ張り力がホース接続部に直接加わって、ホース接続部やホース端部の接続金具等が損傷するおそれがあるのに比べて、外部からの引っ張り力を保持具によって受け止めて、外部からの力がホース接続部に加わらないようにし、ホース接続部等が損傷するおそれを回避させることができ、もって、請求項１〜４のいずれか１項の好適な手段が得られる。
【０００９】
【発明の実施の形態】
以下、本発明の実施形態について図面に基づいて説明する。
図１に示すように、加熱調理器Ｃは、同じ高さに形成された共通の調理台ＷＴを備えた調理設備に組み込み設置される、いわゆるビルトインタイプの加熱調理器に構成されている。図では、外部のガス機器としてのガスストーブＣ８に対して、加熱調理器Ｃからホース７が接続されてガス供給されている。
【００１０】
図１〜図３に示すように、加熱調理器Ｃの調理器本体１は、ガスオーブン２等を内蔵する上側本体部分１Ａと、上側本体部分１Ａを支持して床上に設置される下側本体部分１Ｂとから構成され、上側本体部分１Ａの天板３は、ガスコンロ４の設置台として使用される。
上側本体部分１Ａの下部側の左右側板２１が、下側本体部分１Ｂの左右側板１１に上方から内嵌しかつ上下位置が調節された状態で組付けられている。下側本体部分１Ｂの左右側板１１には、前後端部夫々において上下に所定ピッチで並ぶ複数の止め孔ｔａが形成され、上側本体部分１Ａの左右側板２１に形成したネジ孔を上記複数の止め孔ｔａのいずれかに位置合わせした状態でネジ止めすることにより、上側本体部分１Ａを下側本体部分１Ｂに対して上下位置調節して組付け、天板３に設置するガスコンロ４の高さが機種によって変化した場合でも、コンロ上部位置が、隣接する調理台ＷＴの高さと合うように構成されている。
【００１１】
下側本体部分１Ｂの底部の前後左右の各端部には、下方側に出退自在な４個のキャスター輪１２が備えられ、加熱調理器Ｃを調理設備に組み込む場合には、キャスター輪１２を下側本体部分１Ｂの底部から下方側に出して加熱調理器Ｃを走行させて、調理設備の組み込み予定箇所にセットし、セット後はキャスター輪１２を上方側に引退させて下側本体部分１Ｂを床上に設置する（図１参照）。
【００１２】
ガスオーブン２には、下端部の横軸芯回りに揺動する前扉２ａが設けられ、その前扉２ａの下方には、上側本体部分１Ａの下部及び下側本体部分１Ｂの前面に位置して、開閉式の下部カバー５が設けられている。
図４及び図５に示すように、下部カバー５には、長尺板状のベース部材５ｈ、このベース部材５ｈの上端部から前方に延びる水平壁部分５ｂ、水平壁部分５ｂの前端部から上方に延びる前壁部分５ａ、前壁部分５ａの上端部から後方に曲がる上板部分５ｄ、左右の側板部分５ｅが備えられている。
つまり、オーブン２の前扉２ａ及び下部カバー５等にて、調理器本体１の前壁部ＭＫが構成され、その前壁部ＭＫの下部に他の部分よりも奥側に位置する状態で形成されるけこみ部分が、前記ベース部材５ｈによって構成される。
【００１３】
下側本体部分１Ｂには、支持用のフレーム２０が設けられ、そのフレーム２０の下端部前面の左右両端から前方に伸びる延長部２０ａに、ベース部材５ｈの左右両側板の下部に備えた係合ピンＰが係合するフック部ｆｋが形成されている。つまり、左右の係合ピンＰをフック部ｆｋに対して上方側から落とし込んで、下部カバー５が左右のピンＰを結ぶ横軸芯回りに揺動自在な状態で下側本体部分１Ｂのフレーム２０によって支持されている。
一方、上板部分５ｄの後端側には、前記係合ピンＰによってフレーム２０に揺動自在に支持された下部カバー５が前方に倒れないように保持させるために、前記フレーム２０に設けた左右一対の受け部ｕｇに引掛けるための曲がり部５ｆが形成されている。つまり、下部カバー５を少し持ち上げてから、曲がり部５ｆを左右の受け部ｕｇの上方まで押し込んで落とすと、曲がり部５ｆが凹状部ｕｇに引っ掛かって外れない状態になる。
【００１４】
前述のように、上側本体部分１Ａの上下位置が変更されるのに対応させて、下部カバー５の上下位置を調節するために、水平壁部分５ｂがベース部材５ｈに対して上下位置が調節自在に接続されている。つまり、ベース部材５ｈの前板の左右両端部に、上下に所定ピッチで並ぶ複数のネジ孔ｎａが形成され、水平壁部分５ｂの左右両端に設けた下方向きの延長部５ｍ（図２参照）に形成した止め孔を上記複数のネジ孔ｎａに対して上下にずらして位置合わせした状態で、止めネジをネジ孔ｎａに螺合させて組付けるように構成されている。
【００１５】
図３及び図５に示すように、前壁部分５ａの後方側の上側本体部分１Ａに、ガス栓６と、コンセント９が設置されている。つまり、前壁部ＭＫの内方側でかつ前記けこみ部分（ベース部材５ｈ）よりも上方箇所に、ガスストーブＣ８等の外部のガス機器に対するガス供給用のホース接続部としてのガス栓６が、そのガス供給口６ａを下向きとする状態に設けられるとともに、外部の電気機器に対する電力供給用のコード接続部としてのコンセント９が、上記ガス栓６と並べて設けられている。尚、上記ガス栓６は、ホース７の先端側に設けた接続金具７ａの押し込みに伴って接続される、いわゆるワンタッチ式のガス栓に構成されている。
【００１６】
図４及び図５に示すように、前壁部ＭＫにおけるけこみ部分（ベース部材５ｈ）と水平壁部分５ｂとの間に、前記ガス栓６に接続されたガス供給用のホース７を挿通させるための挿通用開口Ｋ１が形成され、又、この挿通用開口Ｋ１を通して前壁部ＭＫの外部に延出される上記ホース７を係止保持する保持具１０が、下側からホース７を受け止める上向き形状のフック１０に形成されて、ベース部材５ｈに設けられている。つまり、ガス栓６に接続されたホース７を挿通用開口Ｋ１に下向きに挿通させ、フック１０に上方から押し込んで保持させる。
【００１７】
前記前壁部ＭＫにおける前記ガス栓６の直前方に位置する部分に対応して、具体的には、ガス栓６の直前方に位置する前壁部分５ａに、ホース接続部露出用の矩形状の開口Ｋ２が形成され、又、この開口Ｋ２を開閉する矩形板状の開閉部材８が、前壁部ＭＫ（前壁部分５ａ）に沿うスライド移動により開閉自在に設けられている。つまり、前壁部分５ａに備えたレール部に上下両端部を案内支持された開閉部材８を左右にスライド移動させて、開口Ｋ２を開けた状態と塞いだ状態とに開閉操作することができる。
【００１８】
図２に基づいて加熱調理器Ｃにおけるガス配管について説明する。加熱調理器Ｃのガス供給口Ｇ１が床上に出ているガス供給管Ｇ０に対して配管されて、加熱調理器Ｃにガスが供給される。ガス供給口Ｇ１からは、先ず、ガスコンロ４に対する配管Ｇ２とガスオーブン２に対する配管Ｇ３とに分岐され、さらに、ガスオーブン２に対する配管Ｇ３の途中箇所で前記ガス栓６に対する配管Ｇ４が分岐されて、ガスコンロ４、ガスオーブン２及びガス栓６に対してガスが供給されるように構成されている。
【００１９】
〔別実施形態〕
上記実施形態では、挿通用開口Ｋ１を前壁部ＭＫにおけるけこみ部分（ベース部材５ｈ）と水平壁部分５ｂとの間に形成したが、これ以外に、挿通用開口Ｋ１を水平壁部分５ｂに形成したり、又は、水平壁部分５ｂと前壁部分５ａとの間に形成するようにしてもよい。要するに、ガス供給口６ａが下向き状態のホース接続部６に接続されて下方に伸びるホース７を、その向きのままで挿通させて前壁部ＭＫから外部に円滑に取り出すことができればいいのである。
【００２０】
上記実施形態では、調理器として、調理器本体１にオーブン２を内蔵し、上部にコンロ４と載せるタイプの加熱調理器について説明したが、調理器の具体構成や配置等は適宜変更される。
【００２１】
上記実施形態では、外部のガス機器として、ガスストーブＣ８を使用して、加熱調理器Ｃからガスを供給する場合について説明したが、これ以外のガス炊飯器等のガス機器でもよい。
【００２２】
上記実施形態では、前壁部ＭＫを、オーブン２の前扉２ａと下部カバー５とによって構成したが、調理器本体１に内蔵する調理器の種類等により、前壁部ＭＫの具体構成は適宜変更される。
【００２３】
上記実施形態では、ホース接続部６の直前方に位置する前壁部ＭＫの壁部分に、ホース露出用の開口Ｋ２を形成したが、例えば前壁部ＭＫを外せるようにすることにより、必ずしも、かかる開口Ｋ２を形成する必要はない。
【００２４】
上記実施形態では、ホース露出用の開口Ｋ２を開閉する開閉部材８を前壁部ＭＫに沿うスライド移動式に構成したが、例えば縦軸芯回りに揺動して開閉する揺動移動式の開閉部材に構成してもよい。
【００２５】
上記実施形態では、コード接続部（コンセント９）を、機器のプラグを前向きに差し込む状態に形成したが、下向きに差し込むように形成して、例えばホース挿通用開口Ｋ１に通して外部に取り出すようにしてもよい。
【００２６】
上記実施形態では、ホース７の保持具１０を上向き形状のフックに形成して、ホース７を上から押し込んで保持させるようにしたが、これに限るものではなく、例えば、上向き形状のフックと、ホース７を上から押し込んだ後フックの上側を塞ぐ部材とから構成するようにしてもよい。
【００２７】
上記実施形態では、本願発明を、共通の調理台ＷＴを備えた調理設備に組み込み設置される、いわゆるビルトインタイプの加熱調理器に適用した場合について説明したが、かかるビルトインタイプの調理設備に限らず、例えば、加熱調理器のユニットを他の流し台ユニットや調理台ユニット等と横方向に並べて構成される調理設備でもよい。
【図面の簡単な説明】
【図１】加熱調理器を備えた調理設備の斜視図
【図２】加熱調理器の正面図
【図３】加熱調理器の側面図
【図４】前壁部及びその本体への支持構造を示す斜視図
【図５】挿通用開口部を形成した前壁部の側面図
【図６】従来の加熱調理器を示す斜視図
【符号の説明】
１          調理器本体
５ａ        前壁部分
５ｂ        水平壁部分
５ｈ        けこみ部分
６          ホース接続部
６ａ        ガス供給口
７          ホース
８          開閉部材
９          コード接続部
１０        保持具
Ｋ１        挿通用開口
Ｋ２        開口
ＭＫ        前壁部
【図１】
0003909978.tif 000002
【図２】
0003909978.tif 000003
【図３】
0003909978.tif 000004
【図４】
0003909978.tif 000005
【図５】
0003909978.tif 000006
【図６】
0003909978.tif 000007